【手続補正書】
【提出日】平成25年10月2日(2013.10.2)
【手続補正１】
【補正対象書類名】特許請求の範囲
【補正対象項目名】全文
【補正方法】変更
【補正の内容】
【特許請求の範囲】
【請求項１】
太陽光により直流電力を発電する太陽電池を複数備えると共に、
その複数の太陽電池の各々にて発電された直流電力を交流電力に変換する電力変換装置を備え、
前記複数の太陽電池は、複数のグループにグループ分けされており、
各前記グループは、予め決められた同等特性分類基準に基づいて発電特性が同等であると認められる１つ又は複数の前記太陽電池が並列接続されて構成されており、
前記電力変換装置は、
前記グループ毎に設けられ、対応するグループからの直流電力が入力され、その入力される直流電力が最大値となるように当該グループを構成する前記太陽電池の動作点を制御する最大電力点追従制御手段と、
各前記グループから入力された、対応する前記最大電力点追従制御手段による制御がなされて入力された直流電力を、交流電力に変換する直交変換手段と、
を備えたことを特徴とする太陽光発電システム。
【請求項２】
請求項１に記載の太陽光発電システムであって、
前記同等特性分類基準として、受光される太陽光の波長に対する発電電力の特性である波長−電力特性が所定の同等特性範囲内にある前記太陽電池同士が同一の前記グループに属するようにグループ分けするための、波長−電力特性分類基準を有する
ことを特徴とする太陽光発電システム。
【請求項３】
請求項１又は請求項２に記載の太陽光発電システムであって、
前記同等特性分類基準として、前記太陽電池が設置される場所の地面に対する前記太陽電池の受光面の角度である傾斜角が所定の同等傾斜角範囲内にある前記太陽電池同士が同一の前記グループに属するようにグループ分けするための、傾斜角分類基準を有する
ことを特徴とする太陽光発電システム。
【請求項４】
請求項１〜請求項３の何れか１項に記載の太陽光発電システムであって、
前記同等特性分類基準として、前記太陽電池の受光面の法線方向が示す方位角が所定の同等方位角範囲内にある前記太陽電池同士が同一の前記グループに属するようにグループ分けするための、方位角分類基準を有する
ことを特徴とする太陽光発電システム。
【請求項５】
請求項１〜請求項４の何れか１項に記載の太陽光発電システムであって、
前記同等特性分類基準として、前記太陽電池が発電する直流電力を前記電力変換装置に入力するためにその太陽電池と電力変換装置の間に配線された電線の配線距離が所定の同等配線距離範囲内にある前記太陽電池同士が同一の前記グループに属するようにグループ分けするための、配線距離分類基準を有する
ことを特徴とする太陽光発電システム。
【請求項６】
請求項１〜請求項５の何れか１項に記載の太陽光発電システムであって、
前記電力変換装置は、前記グループ毎に設けられた直流電圧変換手段を備え、
各前記直流電圧変換手段は、対応するグループからの直流電力が入力されて、その入力された直流電力の直流電圧を、その入力された値とは異なる値の直流電圧に変換し、
前記グループ毎の各前記最大電力点追従制御手段は、同じ前記グループに設けられた前記直流電圧変換手段に備えられており、
前記直交変換手段は、各前記直流電圧変換手段により直流電圧が変換されて出力された直流電力を交流電力に変換する
ことを特徴とする太陽光発電システム。
【手続補正２】
【補正対象書類名】明細書
【補正対象項目名】００２３
【補正方法】変更
【補正の内容】
【００２３】
上記課題を解決するためになされた本発明は、太陽光を受光することにより直流の電力を発電する太陽電池を複数備えると共に、その複数の太陽電池の各々にて発電された直流の発電電力を交流電力に変換する電力変換装置を備え、複数の太陽電池は、予め決められた同等特性分類基準に基づいて発電特性が同等（完全一致を含む）であると認められる一又は複数の太陽電池を１つのグループとして、異なる２つ以上のグループに分類可能である。
【手続補正３】
【補正対象書類名】明細書
【補正対象項目名】００２８
【補正方法】変更
【補正の内容】
【００２８】
従って、本発明の太陽光発電システムによれば、同等の発電特性を有する太陽電池同士でグループ化されると共に、グループ毎に最大電力点追従制御が行われるため、複数の太陽電池の発電特性にバラツキがあっても、最大電力点追従制御によって各太陽電池が自身以外の他の太陽電池の発電特性の影響を受けて発電出力が抑えられてしまうのを抑制でき、各太陽電池から効率的に発電電力を得ることができる。つまり、全体として発電電力を有効に取り出すことができる。
【手続補正４】
【補正対象書類名】明細書
【補正対象項目名】００３０
【補正方法】変更
【補正の内容】
【００３０】
ここで、発電特性が同等であるか否かの判断基準（延いてはグループ分けの基準）である同等特性分類基準の具体例は種々考えられ、例えば下記のような各種分類基準が挙げられる。
【手続補正５】
【補正対象書類名】明細書
【補正対象項目名】００３１
【補正方法】変更
【補正の内容】
【００３１】
まず、太陽光発電システムにおける同等特性分類基準として、少なくとも、太陽電池にて受光される太陽光の波長に対する発電電力の特性である波長−電力特性が所定の同等特性範囲内にあるか否かに基づいて分類可能な波長−電力特性分類基準が挙げられる。この場合、複数のグループのうち少なくとも２つは、それぞれ、波長−電力特性分類基準により分類された、波長−電力特性が同等特性範囲内にある太陽電池によって構成されていると共に、これら各グループに対応した同等特性範囲はそれぞれグループ毎に異なるように構成されている。
【手続補正６】
【補正対象書類名】明細書
【補正対象項目名】００３５
【補正方法】変更
【補正の内容】
【００３５】
また、太陽光発電システムにおける同等特性分類基準として、少なくとも、太陽電池が設置される場所の地面に対するその太陽電池の受光面の角度である傾斜角が所定の同等傾斜角範囲内にあるか否かに基づいて分類可能な傾斜角分類基準が挙げられる。この場合、複数のグループのうち少なくとも２つは、それぞれ、傾斜角分類基準により分類された、傾斜角が同等傾斜角範囲内にある太陽電池によって構成されていると共に、これら各グループに対応した同等傾斜角範囲はそれぞれグループ毎に異なるように構成されている。
【手続補正７】
【補正対象書類名】明細書
【補正対象項目名】００３９
【補正方法】変更
【補正の内容】
【００３９】
また、太陽光発電システムにおける同等特性分類基準として、少なくとも、太陽電池の受光面の法線方向が示す方位角が所定の同等方位角範囲内にあるか否かに基づいて分類可能な方位角分類基準が挙げられる。この場合、複数のグループのうち少なくとも２つは、それぞれ、方位角分類基準により分類された、方位角が同等方位角範囲内にある太陽電池によって構成されていると共に、これら各グループに対応した同等方位角範囲はそれぞれグループ毎に異なるように構成されている。
【手続補正８】
【補正対象書類名】明細書
【補正対象項目名】００４３
【補正方法】変更
【補正の内容】
【００４３】
また、太陽光発電システムにおける同等特性分類基準として、少なくとも、太陽電池の発電電力を電力変換装置に入力するためにその太陽電池と電力変換装置の間に配線された電線の配線距離が所定の同等配線距離範囲内にあるか否かに基づいて分類可能な配線距離分類基準が挙げられる。この場合、複数のグループのうち少なくとも２つは、それぞれ、配線距離分類基準により分類された、配線距離が同等配線距離範囲内にある太陽電池によって構成されていると共に、これら各グループに対応した同等配線距離範囲はそれぞれグループ毎に異なるように構成されている。
【手続補正９】
【補正対象書類名】明細書
【補正対象項目名】００４９
【補正方法】変更
【補正の内容】
【００４９】
電力変換装置は、グループ毎に設けられた直流電圧変換手段を備えるようにしてもよい。この直流電圧変換手段は、対応するグループを構成する各太陽電池からの発電電力が合成されて入力されると共に、その入力された直流電圧を異なる値の直流電圧に変換する。また、各最大電力点追従制御手段は、それぞれ、同じグループに対応した各直流電圧変換手段に備えられている。そして、直交変換手段は、各直流電圧変換手段により直流電圧が変換されて出力された直流電力を交流電力に変換する。
【手続補正１０】
【補正対象書類名】明細書
【補正対象項目名】００５２
【補正方法】変更
【補正の内容】
【００５２】
また、上述した本発明の太陽光発電システムは、更に、直交変換手段からの交流電力が、そのままの電圧で、または所定の交流電圧に変圧されて、交流系統に連系されるよう構成してもよい。このようにすれば、発電効率の高い系統連系太陽光発電システムを構築することができる。